(57)【要約】      （修正有）【課題】光反射効率を向上させることができ、光学式タッチパネル液晶スクリーンに適用される赤外線反射ストリップ及び該赤外線反射ストリップを含む液晶表示装置を提供する。【解決手段】赤外線反射ストリップ１０は、複数の光反射構造２２が形成される構成面と底面とを有する光反射基材２０と、光反射基材の光反射構造２２上に粘着される高透過率及び低反射率を有する透明な第１保護層３０と、第１保護層上に塗布される耐ＵＶ材料層４０と、光反射基材の底面上に粘着される第２保護層５０と、第２保護層上に粘着される粘着層６０と、粘着層と剥離可能に粘着される剥離紙７０と、を含む。【選択図】図１Ｂ
0003170346.tif 000002
【実用新案登録請求の範囲】
【請求項１】
複数の光反射構成が形成される構成面と底面とを有する光反射基材と、
前記光反射基材の光反射構成上に粘着される高透過率及び低反射率を有する透明な第１保護層と、
前記第１保護層上に塗布される耐ＵＶ材料層と、
前記光反射基材の底面上に粘着される第２保護層と、
前記第２保護層上に粘着される粘着層と、
前記粘着層と剥離可能に粘着される剥離紙と、
を有することを特徴とする液晶表示装置に用いられる赤外線反射ストリップ。
【請求項２】
構成面上の光反射構成がビーズ状の光反射構成を含む請求項１に記載の赤外線反射ストリップ。
【請求項３】
構成面上の光反射構成が角錐状の光反射構成を含む請求項１に記載の赤外線反射ストリップ。
【請求項４】
光反射構成の表面上に、１層のアルミニウム金属薄膜が電気メッキされている請求項１から３のいずれかに記載の赤外線反射ストリップ。
【請求項５】
第１及び第２保護層が、熱可塑性ポリウレタン（ＴＰＵ）層である請求項１から４のいずれかに記載の赤外線反射ストリップ。
【請求項６】
液晶パネルと、
前記液晶パネルの少なくとも１つの側辺に設置される複数の赤外線光源と、
前記液晶パネルの少なくとも２つの角隅にそれぞれ設置される少なくとも２つの赤外線感知素子と、
前記液晶パネルの赤外線光源が設けられていない側辺上に設置される複数の請求項１から５のいずれかに記載の赤外線反射ストリップと、を含む光学タッチユニットと、
を有することを特徴とする光学式タッチパネル液晶表示装置。
【考案の詳細な説明】
【技術分野】
【０００１】
本考案は、高光反射性の赤外線反射ストリップに関し、特に、光学式タッチパネル液晶表示装置に適用される赤外線反射ストリップ、及び該赤外線反射ストリップを含む液晶表示装置に関する。
【背景技術】
【０００２】
液晶ディスプレイ（Ｌｉｑｕｉｄ  Ｃｒｙｓｔａｌ  Ｄｉｓｐｌａｙ；ＬＣＤ）は、体積が小さく、高画質、低消費電力、輻射がないなどの利点があるため、近年、情報又は映像を表示する必要がある種々の電子製品、例えば、テレビ受像機、パーソナルコンピュータ、ノートブック型コンピュータ、携帯電話、携帯情報端末（ＰＤＡ）などに広く適用されている。また、産業の発展に伴い、電子製品の使い勝手及び趣味性を向上するために、電子製品、特に消費性電子製品のヒューマン・マシン・インターフェースのコミュニケーションに対するニーズが年々高まっている。これにより、タッチパネル式液晶スクリーンの発展にも寄与している。
【０００３】
一般的には、タッチパネル式液晶スクリーンは、タッチ方式によって、抵抗式と、容量式と、光学式とのタッチパネル液晶スクリーンに分けられている。そのうち、光学式タッチパネル液晶スクリーンは、精度が高く、且つ応答速度が速いという特徴があるため、主流となっているタッチパネル式液晶スクリーンの一つになってきている。
光学式タッチパネル液晶スクリーンは、光遮断原理によりスクリーン上のタッチパネル点を位置決めし、例えば、パネルの範囲内に光源と受光器を満遍なく設置しマトリクスを構成することにより、光が遮断された際、光を受光することができなかった受光器の位置を検知することができ、更に精度良くその位置を確定することができる。従来技術においては、パネルのＸ軸線及びＹ軸線上の隣接する両側に、複数の発光ダイオードを設置し、対向する側辺へ赤外線を射出し、そして、対向する両側辺上には、複数の赤外線センサを設置し、発光ダイオードから射出された赤外線を受信している。これにより、液晶スクリーン全面に高密度の位置決め点からなるグリッドを構成し、位置決めを精度良く行う効果が得られる。しかしながら、このようなパネルの範囲内に光源と受光器を満遍なく設置する構成には、下記のような欠点がある。即ち、これらのＬＥＤ光源は、大量の電力を消費するだけでなく、電子装置において大量の熱エネルギーを生成する恐れもある。現在では薄型化や軽量化が求められている電子製品産業には、限られた空間に各部品をよりコンパクトに実装することが必要となってきている。これに起因して、熱エネルギーの発散は重要な問題となりつつある。
【０００４】
前記のような光学式タッチパネル液晶スクリーンの構成以外にも、他の構成が存在している。この構成においては、パネルの範囲内に光源と受光器を満遍なく設置する構成を採用するのではなく、液晶スクリーンの左上及び右上にＣＭＯＳレンズをセンサとしてそれぞれ設置し、その近傍に赤外線を出射する装置（例えば、ＬＥＤ）を設置し、更に液晶スクリーンの外框側に赤外線を反射するための赤外線反射ストリップを設置することにより、液晶スクリーン上に満遍なく赤外線が行き渡るようにする。そして、指やその他の物体（例えば、タッチペン）がスクリーンにタッチしたとき、光が遮断されたことにより、センサにより障害物の存在を検知することができ、更に三角関数による演算により、タッチされた位置を求めることができ、位置決めを精度良く行う効果が得られる。このような光学式タッチパネル液晶スクリーンの構成においては、赤外線反射ストリップの反射効果が向上するほど、液晶スクリーンにおいてのＬＥＤ光源の消費電力がより削減されることとなり、それに伴って、発生した熱エネルギーも減少する。しかし、既存の赤外線反射ストリップの光反射効果はまだ十分とはいえず、向上させる余地がある。
【０００５】
従来の光学式タッチパネル液晶スクリーンには、上述した問題点が存在しているので、赤外線反射ストリップの光反射効率を向上させることができ、そして光学式タッチパネル液晶スクリーンの消費電力及び熱エネルギーを減少することができる赤外線反射ストリップ及び該赤外線反射ストリップを含む液晶表示装置の提供が望まれているのが現状である。
【考案の概要】
【考案が解決しようとする課題】
【０００６】
本考案は、従来における前記諸問題を解決し、以下の目的を達成することを課題とする。即ち、本考案は、光反射効率を向上させることができ、光学式タッチパネル液晶スクリーンに適用される赤外線反射ストリップ及び該赤外線反射ストリップを含む液晶表示装置を提供することを目的とする。
【課題を解決するための手段】
【０００７】
前記課題を解決するために、本考案の第１の形態によれば、複数の光反射構成が形成される構成面と底面とを有する光反射基材と、
前記光反射基材の光反射構成上に粘着される高透過率及び低反射率を有する透明な第１保護層と、
前記第１保護層上に塗布される耐ＵＶ材料層と、
前記光反射基材の底面上に粘着される第２保護層と、
前記第２保護層上に粘着される粘着層と、
前記粘着層と剥離可能に粘着される剥離紙と、
を有することを特徴とする液晶表示装置に用いられる赤外線反射ストリップが提供される。
【０００８】
また、前記構成面上の光反射構成がビーズ状の光反射構成を含むことが好ましい。
【０００９】
また、前記構成面上の光反射構成が角錐状の光反射構成を含むことが好ましい。
【００１０】
また、前記光反射構成の表面上には、１層のアルミニウム金属薄膜が電気メッキされていることが好ましい。
【００１１】
また、前記第１及び第２保護層が、熱可塑性ポリウレタン（ＴＰＵ）層であることが好ましい。
【００１２】
前記課題を解決するために、本考案の第２の形態によれば、液晶パネルと、
前記液晶パネルの少なくとも１つの側辺に設置される複数の赤外線光源と、
前記液晶パネルの少なくとも２つの角隅にそれぞれ設置される少なくとも２つの赤外線感知素子と、
前記液晶パネルの赤外線光源が設けられていない側辺上に設置される複数の本考案の前記赤外線反射ストリップと、を含む光学タッチユニットと、
を有することを特徴とする光学式タッチパネル液晶表示装置が提供される。
【考案の効果】
【００１３】
本考案によると、従来における前記諸問題を解決することができ、光反射効率を向上させることができ、光学式タッチパネル液晶スクリーンに適用される赤外線反射ストリップ及び該赤外線反射ストリップを含む液晶表示装置を提供することができる。
【図面の簡単な説明】
【００１４】
【図１Ａ】図１Ａは、本考案による第１実施例の液晶表示装置に用いられる赤外線反射ストリップの拡大上面図である。
【図１Ｂ】図１Ｂは、図１Ａに示す赤外線反射ストリップの拡大側断面図である。
【図２Ａ】図２Ａは、本考案による第２実施例の液晶表示装置に用いられる赤外線反射ストリップの拡大上面図である。
【図２Ｂ】図２Ｂは、図２Ａに示す赤外線反射ストリップの拡大側断面図である。
【図３】図３は、本考案によるもう一つの態様の液晶表示装置を示す平面図である。
【考案を実施するための形態】
【００１５】
以下、本考案の実施形態について図面に基づいて説明する。なお、これによって本考案が限定されるものではない。
【００１６】
（第１実施例）
図１Ａ及び図１Ｂに示す本考案の第１実施例を参照し、本考案の液晶表示装置に用いられる赤外線反射ストリップ１０を説明する。
図１Ａ及び図１Ｂに示すように、本考案の赤外線反射ストリップ１０は、剥離紙７０及び該剥離紙７０上に塗布される粘着層６０を含む、ハロゲンを含まないベース材と、前記粘着層６０に積層され、かつ複数の光反射構成（reflecting  configurations）２２が形成される構成面と底面とを有する光反射基材２０と、を主に有している。この第１実施例では、これらの光反射構成２２はビーズ状の光反射構成であり、また、光反射効果を向上させるために、これらの光反射構成の半球形面上には、金属薄膜（例えば、アルミニウム金属薄膜）が電気メッキされている。好ましくは、１層の第２保護層５０が、前記光反射基材２０の底面と前記粘着層６０との間に設置されている。
【００１７】
また、第１実施例に係る赤外線反射ストリップ１０は、前記光反射基材２０の構成面上に覆われる透明な第１保護層３０を更に含む。前記透明な第１保護層３０は、高透過率及び低反射率を有する材料、例えば熱可塑性ポリウレタン（ＴＰＵ）材料からなることが好ましい。これにより、赤外線が反射されていない場合、前記第１保護層３０を通して前記光反射基材２０の構成表面に達し、そして、表面上に金属薄膜が電気メッキされている光反射構成２２によって反射された後、前記第１保護層３０を通して、赤外線を十分に反射することによって、赤外線光反射効果を最大限に提供することができる。また、前記第１保護層３０が空気中の湿気を吸収してその光学特性を損なうことを防止するために、耐ＵＶ材料層４０は前記第１保護層３０の表面上に塗布されていることが好ましい。
この第１実施例に係る赤外線反射ストリップ１０の耐ＵＶ材料層４０が揃って積層された後、高周波又は超音波処理の方式により、これらの材料層が粘着されて適切なサイズに切断されることにより、必要となる赤外線反射ストリップ１０が得られる。
【００１８】
（第２実施例）
図２Ａ及び２Ｂは、本考案による第２実施例の赤外線反射ストリップ１０’を示す。第２実施例の構成と第１実施例に係る赤外線反射ストリップ１０とは略同一であり、両者の相違点は、単に、第２実施例の光反射構成２２’がビーズ状構成ではなく、角錐状構成であることだけである。第２実施例の光反射構成２２’は角錐形状であるが、得られる赤外線光反射効果は、第１実施例と実質的に同一である。
【００１９】
次に、図３を参照し、本考案に係るもう一つの態様の上述した赤外線反射ストリップを含む液晶表示装置１００について説明する。
図３に示すように、前記液晶表示装置１００は、液晶パネル１２０と、光学タッチユニットと、を含み、前記光学タッチユニットは、前記液晶パネル１２０の１つの側辺に設置される複数の赤外線光源１３０と、前記液晶パネル１２０の左上隅及び右上隅にそれぞれ設置される、例えば、ＣＭＯＳ光学レンズの２つの赤外線感知素子１４０と、前記液晶パネル１２０の赤外線光源が設けられていないその他の３つの側辺上に設置され、赤外線光源１３０から射出した光を液晶パネル１２０全体に反射して光学タッチに必要な光とするための３本の本考案の赤外線反射ストリップ１０と、を含む。
【００２０】
従来の光学タッチパネル液晶表示装置には、タッチの検知感度及びタッチ点の密度を向上させるために、多くの光源（例えば、ＬＥＤランプ）及び受光器により液晶スクリーン上に高密度の光学グリッドを構成するのが一般であるが、光源及び受光器の作動には電力を消費する必要があるため、液晶表示装置において使用される光源及び受光器が多ければ、消費電力が大きくなり、熱エネルギーも多く発生し、熱エネルギーの発散の問題もより大きくなる。それに対して、本考案の高性能赤外線反射ストリップは、反射光を利用して光学タッチに必要な光を提供しているので、赤外線反射ストリップ自身では、電力を消費して発光する必要がなく、しかも熱エネルギーを発生することもない。そのため、本考案の高性能赤外線反射ストリップを光学タッチの光源とする液晶ディスプレイは、従来の液晶表示装置よりも少ない光源により液晶パネルの表面全面に光学タッチに必要な光を提供することができる。
【００２１】
したがって、本考案の赤外線反射ストリップが適用される液晶表示装置は、電力の消費を大幅に削減し、熱エネルギーの発生を減少させることができ、これにより、従来の液晶表示装置においての高いエネルギー消費、高い熱生成、及び放熱などの問題を有効に解決することができる。本考案の赤外線反射ストリップ、及び該赤外線反射ストリップを含む液晶表示装置は、上述した、従来の赤外線反射ストリップ及び液晶表示装置よりも優れている利点を有しているため、本考案の赤外線反射ストリップ及び液晶表示装置は極めて産業上利用可能性が高い。
【００２２】
上述のように、図面に示す好ましい実施例により、本考案の赤外線反射ストリップ及び該赤外線反射ストリップを含む液晶表示装置を説明したが、本考案は、以上に記載したことや図面に示す構成に何ら制限されるものではない。即ち、本考案は、上記の開示内容より教示された原理や精神に基づいて、種々の態様及び変形が可能なものである。また、これらの全てやその他の可能な変化は、実用新案登録請求の範囲によって限定されている本考案の範囲内にある。
【符号の説明】
【００２３】
１０、１０’      赤外線反射ストリップ
２０、２０’      光反射基材
２２、２２’      光反射構成（reflecting  configurations）
３０      第１保護層
４０      耐ＵＶ材料層
５０      第２保護層
６０      粘着層
７０      剥離紙
１００      液晶表示装置
１２０      液晶パネル
１３０      赤外線光源
１４０      赤外線感知素子
【図１Ａ】
0003170346.tif 000003
【図１Ｂ】
0003170346.tif 000004
【図２Ａ】
0003170346.tif 000005
【図２Ｂ】
0003170346.tif 000006
【図３】
0003170346.tif 000007
【手続補正書】
【提出日】平成23年7月11日(2011.7.11)
【手続補正１】
【補正対象書類名】明細書
【補正対象項目名】０００７
【補正方法】変更
【補正の内容】
【０００７】  前記課題を解決するために、本考案の第１の形態によれば、複数の光反射構造が形成される構成面と底面とを有する光反射基材と、  前記光反射基材の光反射構造上に粘着される高透過率及び低反射率を有する透明な第１保護層と、  前記第１保護層上に塗布される耐ＵＶ材料層と、  前記光反射基材の底面上に粘着される第２保護層と、  前記第２保護層上に粘着される粘着層と、  前記粘着層と剥離可能に粘着される剥離紙と、を有することを特徴とする液晶表示装置に用いられる赤外線反射ストリップが提供される。
【手続補正２】
【補正対象書類名】明細書
【補正対象項目名】０００８
【補正方法】変更
【補正の内容】
【０００８】  また、前記構成面上の光反射構造がビーズ状の光反射構造を含むことが好ましい。
【手続補正３】
【補正対象書類名】明細書
【補正対象項目名】０００９
【補正方法】変更
【補正の内容】
【０００９】  また、前記構成面上の光反射構造が角錐状の光反射構造を含むことが好ましい。
【手続補正４】
【補正対象書類名】明細書
【補正対象項目名】００１０
【補正方法】変更
【補正の内容】
【００１０】  また、前記光反射構造の表面上には、１層のアルミニウム金属薄膜が電気メッキされていることが好ましい。
【手続補正５】
【補正対象書類名】明細書
【補正対象項目名】００１６
【補正方法】変更
【補正の内容】
【００１６】（第１実施例）  図１Ａ及び図１Ｂに示す本考案の第１実施例を参照し、本考案の液晶表示装置に用いられる赤外線反射ストリップ１０を説明する。  図１Ａ及び図１Ｂに示すように、本考案の赤外線反射ストリップ１０は、剥離紙７０及び該剥離紙７０上に塗布される粘着層６０を含む、ハロゲンを含まないベース材と、前記粘着層６０に積層され、かつ複数の光反射構造（reflecting  configurations）２２が形成される構成面と底面とを有する光反射基材２０と、を主に有している。この第１実施例では、これらの光反射構造２２はビーズ状の光反射構造であり、また、光反射効果を向上させるために、これらの光反射構造の半球形面上には、金属薄膜（例えば、アルミニウム金属薄膜）が電気メッキされている。好ましくは、１層の第２保護層５０が、前記光反射基材２０の底面と前記粘着層６０との間に設置されている。
【手続補正６】
【補正対象書類名】明細書
【補正対象項目名】００１７
【補正方法】変更
【補正の内容】
【００１７】  また、第１実施例に係る赤外線反射ストリップ１０は、前記光反射基材２０の構成面上に覆われる透明な第１保護層３０を更に含む。前記透明な第１保護層３０は、高透過率及び低反射率を有する材料、例えば熱可塑性ポリウレタン（ＴＰＵ）材料からなることが好ましい。これにより、赤外線が反射されていない場合、前記第１保護層３０を通して前記光反射基材２０の構成表面に達し、そして、表面上に金属薄膜が電気メッキされている光反射構造２２によって反射された後、前記第１保護層３０を通して、赤外線を十分に反射することによって、赤外線光反射効果を最大限に提供することができる。また、前記第１保護層３０が空気中の湿気を吸収してその光学特性を損なうことを防止するために、耐ＵＶ材料層４０は前記第１保護層３０の表面上に塗布されていることが好ましい。  この第１実施例に係る赤外線反射ストリップ１０の耐ＵＶ材料層４０が揃って積層された後、高周波又は超音波処理の方式により、これらの材料層が粘着されて適切なサイズに切断されることにより、必要となる赤外線反射ストリップ１０が得られる。
【手続補正７】
【補正対象書類名】明細書
【補正対象項目名】００１８
【補正方法】変更
【補正の内容】
【００１８】（第２実施例）  図２Ａ及び２Ｂは、本考案による第２実施例の赤外線反射ストリップ１０’を示す。第２実施例の構成と第１実施例に係る赤外線反射ストリップ１０とは略同一であり、両者の相違点は、単に、第２実施例の光反射構造２２’がビーズ状構造ではなく、角錐状構造であることだけである。第２実施例の光反射構造２２’は角錐形状であるが、得られる赤外線光反射効果は、第１実施例と実質的に同一である。
【手続補正８】
【補正対象書類名】明細書
【補正対象項目名】００２３
【補正方法】変更
【補正の内容】
【００２３】    １０、１０’      赤外線反射ストリップ    ２０、２０’      光反射基材    ２２、２２’      光反射構造（reflecting  configurations）    ３０      第１保護層    ４０      耐ＵＶ材料層    ５０      第２保護層    ６０      粘着層    ７０      剥離紙  １００      液晶表示装置  １２０      液晶パネル  １３０      赤外線光源  １４０      赤外線感知素子
【手続補正９】
【補正対象書類名】実用新案登録請求の範囲
【補正対象項目名】全文
【補正方法】変更
【補正の内容】
【実用新案登録請求の範囲】
【請求項１】
複数の光反射構造が形成される構成面と底面とを有する光反射基材と、  前記光反射基材の光反射構造上に粘着される高透過率及び低反射率を有する透明な第１保護層と、  前記第１保護層上に塗布される耐ＵＶ材料層と、  前記光反射基材の底面上に粘着される第２保護層と、  前記第２保護層上に粘着される粘着層と、  前記粘着層と剥離可能に粘着される剥離紙と、を有することを特徴とする液晶表示装置に用いられる赤外線反射ストリップ。
【請求項２】
構成面上の光反射構造がビーズ状の光反射構造を含む請求項１に記載の赤外線反射ストリップ。
【請求項３】
構成面上の光反射構造が角錐状の光反射構造を含む請求項１に記載の赤外線反射ストリップ。
【請求項４】
光反射構造の表面上に、１層のアルミニウム金属薄膜が電気メッキされている請求項１から３のいずれかに記載の赤外線反射ストリップ。
【請求項５】
第１及び第２保護層が、熱可塑性ポリウレタン（ＴＰＵ）層である請求項１から４のいずれかに記載の赤外線反射ストリップ。
【請求項６】
液晶パネルと、  前記液晶パネルの少なくとも１つの側辺に設置される複数の赤外線光源と、  前記液晶パネルの少なくとも２つの角隅にそれぞれ設置される少なくとも２つの赤外線感知素子と、  前記液晶パネルの赤外線光源が設けられていない側辺上に設置される複数の請求項１から５のいずれかに記載の赤外線反射ストリップと、を含む光学タッチユニットと、を有することを特徴とする光学式タッチパネル液晶表示装置。